(57)【要約】      （修正有）【課題】結婚披露に関する情報を知る伝達媒体として利用する利便性を有し、また、保存版としての機能を持たせることもでき、場合により席札の機能を持たせることができる結婚披露のためのケース入り挨拶状冊子を提供する。【解決手段】四角形状の各印刷用紙を中央位置での折り曲げ線の位置でまとめ綴じした小冊子１と、四角形状の基台部２０−１と蓋部２０−２とを四角形状の一辺の縁部２０−３で開閉自在に結合させて、小冊子１の外形寸法に適合する収容空間を内部に形式したプラスチック製透明ケース２０とを備える。小冊子１の前記各印刷用紙には、表紙を含んで、新郎新婦二人のスティール写真、二人からの挨拶文、新郎のプロフィール、新婦のプロフィール、両家族の紹介等の結婚披露に係わる映像及び文字情報が印刷された構成を有している。【選択図】図１０
0003114474.tif 000002
【実用新案登録請求の範囲】
【請求項１】
四角形状の各印刷用紙を中央位置での縦方向の折り曲げ線に沿って左右対称的に内方に二つ折りした複数枚を該折り曲げ線の位置でまとめ綴じした小冊子と、
同一の内外寸法を有する四角形状の基台部と蓋部とを前記四角形状の一辺の縁部で開閉自在に結合させて、該小冊子の外形寸法に適合する収容空間を内部に形式したプラスチック製透明ケースとを備え、
前記小冊子の前記各印刷用紙には、表紙を含んで、新郎新婦二人のスティール写真、二人からの挨拶文、新郎のプロフィール、新婦のプロフィール、両家族の紹介等の結婚披露に係わる映像及び文字情報が印刷された結婚披露のためのケース入り挨拶状冊子。
【請求項２】
前記プラスチック製透明ケースの蓋部には、前記新郎新婦二人の結婚披露宴会場における席次表と席札のうち少くとも席札を外側から当該席札の表示内容の確認をすることができるように収容する席札収容スペースが設けられていることを特徴とする請求項１に記載の結婚披露のためのケース入り挨拶状冊子。
【考案の詳細な説明】
【技術分野】
【０００１】
本考案は、結婚披露のための挨拶状冊子に関するものである。
【背景技術】
【０００２】
近年の傾向として、結婚披露宴会場などで新郎新婦を紹介するための印刷物（プロフィール・パンフと略称されているプロフィール・パンフレット）が利用されており、席次表、席札などを含めて、ペーパーアイテムという一ジャンル（genre)を形成している。この場合、新郎新婦の二人を紹介するペーパーアイテムの印刷物は、ほとんどが単なるパンフレット形式であったり、また、一般の新聞形式により印刷された印刷物である。
【０００３】
しかし、披露宴席で出された料理を前にそれらを読むには、その大きさなどの理由で読みづらかったり、また扱いにくいという側面もある。また印刷物はあまり保存されることを念頭に置いて制作・印刷されることはほとんどなく、単なる情報の伝達媒体として印刷されている。
【０００４】
このような欠点を改善するために、ケース本体の外表面に結婚式を挙げた二人の写真と挨拶状を粘着固定したビデオカッセトテープの収納ケース形式のもの（特許文献１参照）、及び、誓いの言葉をエッチングしてある真鍮等の金属板に新郎新婦二人の署名をエッチングしたプレートを額装したもの（特許文献２参照）等が提案されている。
【特許文献１】公開実用新案公報  昭６４−１１９９４
【特許文献２】公開実用新案公報  実開平５−２２５５６
【考案の開示】
【考案が解決しようとする課題】
【０００５】
この場合の特許文献１は、単にカセットテープの収納ケースに、新郎新婦の写真と挨拶状を粘着固定したものであり、特許文献２は主として保存を目的としたものであるから、いずれも披露宴席で二人の略歴，プロフィールに関する情報を知る伝達媒体として利用する利便性を有するものではない。
また、特許文献２では、エッチングプレートに仕上げているので、高価になる欠点がある。
【０００６】
本考案の目的は、披露宴席で新郎，新婦二人の略歴，プロフィールに付加して両家家族に関する情報を知る伝達媒体として利用する利便性を有し、また、保存版としての機能を持たせることもでき、場合により席札の機能を持たせることができる結婚披露のためのケース入り挨拶状冊子を提供することである。
【課題を解決するための手段】
【０００７】
この目的を達成するために、本考案による結婚披露のための挨拶状冊子は、四角形状の各印刷用紙を中央位置での縦方向の折り曲げ線に沿って左右対称的に内方に二つ折りした複数枚を該折り曲げ線の位置でまとめ綴じした小冊子と、
同一の内外寸法を有する四角形状の基台部と蓋部とを前記四角形状の一辺の縁部で開閉自在に結合させて、該小冊子の外形寸法に適合する収容空間を内部に形式したプラスチック製透明ケースとを備え、
前記小冊子の前記各印刷用紙には、表紙を含んで、新郎新婦二人のスティール写真、二人からの挨拶文、新郎のプロフィール、新婦のプロフィール、両家族の紹介等の結婚披露に係わる映像及び文字情報が印刷された構成を有している。
前記プラスチック製透明ケースの蓋部には、前記新郎新婦二人の結婚披露宴会場における席次表と席札のうち少くとも席札を外側から当該席札の表示内容の確認をすることができるように収容する席札収容スペースが設けられることができる。
【考案の効果】
【０００８】
以上のように、本考案による結婚披露のためのケース入り挨拶状冊子は、結婚した新郎新婦を親戚・友人等に紹介する内容を含む印刷物小冊子を透明プラスチックケースに収容するように構成されている。また、透明プラスチックケースには、新郎新婦二人の結婚披露宴会場における席次表と席札のうち少なくとも席札を外側から当該席札の表示内容の確認をすることができるように収容する席札収容スペースを設けることができる。
これにより、本考案による挨拶状冊子は、美観と高級感が一段と高まり、単なる印刷物から結婚式などで利用される「引き出物・ギフト類」の範疇へと価値が向上することになる。
また、席札，席次表を含み、結婚式全体がコンパクトにプラスチックケース内に収納されたことになり、永久保存版としての取扱いを受ける資格をも有することになる。
【考案を実施するための最良の形態】
【０００９】
以下本考案の実施例を説明する。
図１は本考案における小冊子１の表紙と１ページの表示の１例を示すもので、表紙１−０には新郎新婦の写真を表示している。１ページは、新郎新婦二人からの挨拶が日付と署名入りで表示されている。
【００１０】
図２は、小冊子１の２ページと３ページの表示の１例を示すもので、２ページには新郎の写真入りで新郎のプロフィールが表示されている。３ページには写真入りで新郎の子供時代からの略歴が表示されている。
【００１１】
図３は、小冊子の４ページと５ページの表示の１例を示すもので、４ページには新婦の写真入りで新婦のプロフィールが表示されている。５ページには写真入りで新婦の子供時代からの略歴が表示されている。
【００１２】
図４は、小冊子１の６ページと７ページの表示の１例を示すもので、二人のインタビューのＱアンドＡが表示されている。
【００１３】
図５は、小冊子１の８ページと９ページの表示の１例を示すもので、８ページには二人へのインタビューの続編が表示されている。９ページは写真入りで結婚にまつわる想い出の紹介が表示されている。
【００１４】
図６は、小冊子１の１０ページと１１ページの表示の１例を示すもので、１０ページには披露宴の料理メニューの紹介が表示されている。１１ページには両家族の集合写真と各個人の続柄紹介が表示されている。
【００１５】
図７は、小冊子１の１２ページの表示例を示すもので、結婚に際し特にお世話になった方々の紹介と二人の新居案内が表示されている。
【００１６】
図８は、小冊子１の裏表紙であり、結婚披露宴会場での演奏曲が記載されている。
【００１７】
この小冊子１は、四角形状の各印刷用紙を中央位置での縦方向の折り曲げ線に沿って左右対称的に内方に二つ折りした複数枚を該折り曲げ線の位置でまとめ綴じした小冊子である。
【００１８】
図１乃至図８に例示した小冊子１の場合には、表紙を含んで４枚の印刷用紙を用いて、図９に示す具体的な印刷面の配列により実現することができる。
図９において、上から表紙シートＳＨ−０，１枚目シートＳＨ−１，２枚目シートＳＨ−２，３枚目シートＳＨ−３を示しており、各シートＳＨ−０，ＳＨ−１，ＳＨ−２、ＳＨ−３で上段に外側を表示し、下段に内側を表示している。
これらの４枚の印刷用紙を、図示の状態で内側を上にして表紙シートＳＨ−０，１枚目シートＳＨ−１，２枚目シートＳＨ−２，３枚目シートＳＨ−３の順に順次積み重ねて、下段に示す内側の印刷面の中央位置で縦方向の折り曲げ線１−２０に沿って左右対称的に内方に二つ折りして、その折り曲げ線１−２０の位置でホッチキス等によりまとめ綴じすることにより、この小冊子１が出来上がる。この場合の各ページは図９に示すような配列に印刷されており、まとめ綴じされた小冊子は、左側から一ページ毎にめくって、〔表紙→表紙の裏（白地）→１ページ→２ページ→３ページ→４ページ→５ページ→６ページ→７ページ→８ページ→９ページ→１０ページ→１１ページ→１２ページ〕のように各ページを順に読みとることができる。
【００１９】
図１０，図１１は、本考案に用いるプラスチック製透明シートの具体例を示すものであり、同一の内外寸法を有する四角形状の基台部２０−１と蓋部２０−２とを前記四角形状の一辺の縁部２０−３で開閉自在に結合させて、この小冊子１の外形寸法に適合し、この小冊子を収容する収容空間２０−４を内部に形式している。
図１０は開閉状態を示し、図１１は開放状態を示している。
【００２０】
プラスチック製透明ケースの蓋部２０−２には、新郎新婦二人の結婚披露宴会場における席次表と席札のうち少くとも席札を外側から当該席札の表示内容の確認をすることができるように収容する席札収容スペースを設けることができる。
これにより、その席札収容スペースに各参加者の氏名を表示した名札を収容するだけで、本考案による挨拶状冊子のプラスチック製透明ケースに結婚披露宴会場における席札の機能を兼ね備えさせることができ、会場側の準備作業の能率化、参加者各人の席の確認の容易性、及び宴会の散会後におけるこのケース入り挨拶状冊子の所有者の明確化による利便性等の幾多の利点を有せしめることが可能である。
【産業上の利用可能性】
【００２１】
様式により制限を受けることなしに、結婚披露宴会場において、広く利用される可能性がある。
【図面の簡単な説明】
【００２２】
【図１】本考案に用いる小冊子の表紙に表示されている新郎新婦二人の写真と１ページに表示されている二人からの挨拶の表示例図である。
【図２】本考案に用いる小冊子の表紙に表示されている２ページと３ページの表示例図である。
【図３】本考案に用いる小冊子の表紙に表示されている４ページと５ページの表示例図である。
【図４】本考案に用いる小冊子の表紙に表示されている６ページと７ページの表示例図である。
【図５】本考案に用いる小冊子の表紙に表示されている８ページと９ページの表示例図である。
【図６】本考案に用いる小冊子の表紙に表示されている１０ページと１１ページの表示例図である。
【図７】本考案に用いる小冊子の表紙に表示されている１２ページの表示例図である。
【図８】本考案に用いる小冊子の表紙に表示されている裏表示の表示例図である。
【図９】本考案に用いる小冊子への印刷要領を説明するための図面である。
【図１０】本考案に用いるプラスチック透明ケース蓋の閉止状態を示す外観斜視図である。
【図１１】本考案に用いるプラスチック透明ケース蓋の開放状態を示す外観斜視図である。
【符号の説明】
【００２３】
１  小冊子
１−０  表紙
１−１  １ページ
１−２  ２ページ
１−３  ３ページ
１−４  ４ページ
１−５  ５ページ
１−６  ６ページ
１−７  ７ページ
１−８  ８ページ
１−９  ９ページ
１−１０  １０ページ
１−１１  １１ページ
１−００  裏表紙
１−２０  内側折り曲げ線
ＳＨ−０  表紙シート
ＳＨ−１  １枚目シート
ＳＨ−２  ２枚目シート
ＳＨ−３  ３枚目シート
２０  透明プラスチックケース
２０−１  基台部
２０−２  蓋部
２０−３  縁部
２０−４  収容空間
２０−５  保持用爪
【図１】
0003114474.tif 000003
【図２】
0003114474.tif 000004
【図３】
0003114474.tif 000005
【図４】
0003114474.tif 000006
【図５】
0003114474.tif 000007
【図６】
0003114474.tif 000008
【図７】
0003114474.tif 000009
【図８】
0003114474.tif 000010
【図９】
0003114474.tif 000011
【図１０】
0003114474.tif 000012
【図１１】
0003114474.tif 000013